(57)【要約】【課題】本発明の目的は、緊急時に素早く大量のガスを送り出すことができるガス送出装置を提供することである。【解決手段】ガス送出装置１は、高圧ガス容器の先端口に孔をあける牙突ニードル（１０２）と、牙突ニードルの後端に衝突させる牙突ニードルストライカー（１０８）と、バネと、開口を備え、前記バネと牙突ニードルストライカー（１０８）を内設する本体部と、本体部の開口に連結し、牙突ニードルのピストン運動を所定の間隔内に制限させる牙突ニードル案内管（１０５）と、牙突ニードルの先端がピストン運動し、高圧ガス容器の先端口と牙突ニードル案内管を連通させる連通管と、連通管の管内に連通し、高圧ガス容器のガスを流すためのガス放出管（１０４）と、牙突ニードルストライカーを係止するストッパー（１０７）と、ストッパーを解除するストッパー解除機構（１０６）とを備えている。【選択図】図１
2020112258.tif 000002
【特許請求の範囲】
【請求項１】
高圧ガス容器の先端口に設けられた封止部に孔をあけるための牙突ニードルと、
前記牙突ニードルの後端に衝突させる牙突ニードルストライカーと、
前記牙突ニードルストライカーに、前記牙突ニードルの後端へ衝突させる力を与えるバネと、
開口を備え、前記バネと前記牙突ニードルストライカーを内設し、該牙突ニードルストライカー及び前記牙突ニードルの後端がピストン運動する収容空間を有する本体部と、
前記本体部の前記開口に連結し、前記牙突ニードルのピストン運動を所定の間隔内に制限させる牙突ニードル案内管と、
前記牙突ニードルの先端がピストン運動し、高圧ガス容器の先端口と前記牙突ニードル案内管を連通させる連通管と、
前記連通管の管内に連通し、高圧ガス容器のガスを流すためのガス放出管と、
前記牙突ニードルストライカーを前記バネを圧縮した状態で係止するストッパーと、
前記ストッパーを解除するストッパー解除機構と、
を備え、
前記ストッパーで係止された前記牙突ニードルストライカーは、前記牙突ニードルの後端から離れた位置に設けられる、ガス送出装置。
【発明の詳細な説明】
【技術分野】
【０００１】
本発明は、ガス送出装置に関する。
【背景技術】
【０００２】
従来、高圧ガス容器のガスの噴射を制御する機構が知られている（例えば、特許文献１、２）。また、自動車等の車載に用いられるエアバッグシステムも知られている。
【先行技術文献】
【特許文献】
【０００３】
【特許文献１】特開２００３−１４６３９３号公報
【特許文献２】特開２０１０−２７０８３０号公報
【発明の概要】
【発明が解決しようとする課題】
【０００４】
しかし、特許文献１、２に示すガスの噴射を制御する機構では、緊急時に素早く大量のガスを噴出させることができないという問題があり、車載等に用いるエアバッグシステムには使用できないという問題がある。また、従来のエアバッグシステムでは、火薬を爆発させてガスを発生させるため、危険性を排除しきれないという問題もある。
【０００５】
本発明の目的は、このようなことに鑑みてなされたものであり、緊急時に素早く大量のガスを送り出すことができるガス送出装置を提供することである。
【課題を解決するための手段】
【０００６】
上記目的は、高圧ガス容器の先端口に設けられた封止部に孔をあけるための牙突ニードル（１０２）と、牙突ニードル（１０２）の後端に衝突させる牙突ニードルストライカー（１０８）と、牙突ニードルストライカー（１０８）に、牙突ニードル（１０２）の後端へ衝突させる力を与えるバネと、開口を備え、前記バネと前記牙突ニードルストライカーを内設し、該牙突ニードルストライカー及び前記牙突ニードルの後端がピストン運動する収容空間を有する本体部と、前記本体部の前記開口に連結し、前記牙突ニードルのピストン運動を所定の間隔内に制限させる牙突ニードル案内管（１０５）と、牙突ニードル（１０２）の先端がピストン運動し、高圧ガス容器の先端口と前記牙突ニードル案内管を連通させる連通管と、前記連通管の管内に連通し、高圧ガス容器のガスを流すためのガス放出管（１０４）と、牙突ニードルストライカー（１０８）を前記バネを圧縮した状態で係止するストッパー（１０７）と、ストッパー（１０７）を解除するストッパー解除機構（１０６）と、を備え、ストッパー（１０７）で係止された牙突ニードルストライカー（１０８）は、牙突ニードル（１０２）の後端から離れた位置に設けられる、ガス送出装置（１）によって達成される。
【発明の効果】
【０００７】
本発明によれば、緊急時に素早く大量のガスを送り出すことができるガス送出装置を提供するすることができる。
【図面の簡単な説明】
【０００８】
【図１】本発明の実施形態によるガス送出装置１を説明する図である。
【発明を実施するための形態】
【０００９】
図１を用いてガス送出装置１を説明する。図１（ａ）は、ガスボンベ１０１にガス送出装置１を取り付けた状態の断面図であり、図１（ｂ）は、図１（ａ）に示すガス送出装置１の牙突ニードル１０２の拡大図を示している。図１（ａ）に示す破線は、ガスボンベ１０１及びガス送出装置１の中心を示している。また、図１（ｂ）に示す破線は、牙突ニードル１０２の内部の形状を示し、矢印はガスの流れる経路と方向を示している。
【００１０】
ガス送出装置１は、ボンベパッキン１０３を介してガスボンベ１０１に取り付けられる。ガスボンベ１０１の中央先端部に封止部が設けられる。封止部は、ガス送出装置１の牙突ニードル１０２によって破壊される材質（例えば、薄板状の金属、プラスチック、ビニール、紙等）が用いられる。
【００１１】
ガス送出装置１は、ガス放出管１０４と牙突ニードル案内管１０５とストライカーシアー１０７とソレノイド１０６、及び本体部を有している。本体部は、一端が開口し他端が閉じられている略円筒状の形状を有し、内部に牙突ニードルストライカー１０８、及び圧縮された状態のコイルバネが設けられている。牙突ニードル案内管１０５は、略円筒状の形状を有し、本体部の開口面及びガス排出管１０４の一端面に取り付けられる。また、ストライカーシアー１０７は、本体部の側面に設けられた孔にストライカーシアー１０７の一部を通すように本体部の側面に設けられる。牙突ニードルストライカー１０８は、コイルバネの弾性力によってスライド移動する。牙突ニードルストライカー１０８は、平常状態において、ストライカーシアー１０７がストッパーとして機能することで、スライド移動しないように抑制されている。また、ソレノイド１０６が作動して、ストライカーシアー１０７による牙突ニードルストライカー１０８のストッパー機能が解除されるように構成されている。また、ストライカーシアー１０７に隣接するように、不図示の誤作動防止ピンを設ける構成であってもよい。
【００１２】
牙突ニードルストライカー１０８のストッパーが解除され、牙突ニードルストライカー１０８が加速しながらスライド移動することで、最高速度に達した牙突ニードルストライカー１０８が牙突ニードル１０２の後端面に衝突するよう構成されている。この衝突力によって、牙突ニードル１０２がガスボンベ１０１の封止部を破壊する。
【００１３】
牙突ニードル１０２は、牙突ニードル案内管１０５の内部をスライド移動するように構成されている。牙突ニードル１０２の側面には、牙突ニードル案内管１０５の上下端の開口よりも幅広の突起部が設けられる。また、牙突ニードル１０２の先部分は、ガス放出管１０４の内側に位置し、牙突ニードル１０２の後部分は、本体部の内側に位置する構成である。
【００１４】
ガス放出管１０４は、ガスボンベ１０１と牙突ニードル案内管１０５を連結する部分（以下、「連通管」という。）に連結される。連通管は、牙突ニードル１０２が移動してガスボンベ１０１の封止部を破壊するガイドとしても機能する。牙突ニードル１０２がガスボンベ１０１の封止部を破壊することで、ガスボンベ内のガスが放出される。この放出されたガスのガス圧によって、牙突ニードル１０２は押し戻され、牙突ニードル１０２の突起部が牙突ニードル案内管１０５の一端の開口を塞ぐことになる。このため、ガスボンベ１０１のガスは、本体部に流入することなく、連結管及びガス放出管１０４を通過して、ガスが送りだされる。
【００１５】
図１（ｂ）は、牙突ニードル１０２の側面図である。牙突ニードル１０２の内部の一部は中空であり、牙突ニードル１０２の先端部分にガスの流入口（１個）と中段部分にガスの流出口（４個）があり、ガスの流通路が形成されている。このため、牙突ニードル１０２がガスボンベ１０１の封止部に突き刺さった状態でも、ガスボンベ１０１のガスが牙突ニードル１０２の内部を通過して放出されるので、短時間にて大量のガスを送り出すことが可能となる。また、牙突ニードル１０２の側面の突起部にパッキンを設けることで、牙突ニードル１０２がガス圧によって押し戻された場合に、牙突ニードル案内管１０５の後端の開口を効率的に塞ぐことができる。
【００１６】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【００１７】
本発明は、以下の用途で用いることが可能である。
（１）自動車等のエアバッグシステムに用いる。
（２）船の先端等にエアーにて膨らむ緩衝材を設け、緊急時にこの緩衝材を膨らませるために用いる。
（３）エレベータが落下した際に、エレベータの落下を吸収するための緩衝材を膨らませるために用いる。
（４）その他、緊急時にエアーを大量に送り込むことで人の安全を確保する安全装置。
【産業上の利用可能性】
【００１８】
本発明は、ガス送出装置において広く利用可能である。
【符号の説明】
【００１９】
１０１  ガスボンベ
１０２  牙突ニードル
１０３  ボンベパッキン
１０４  ガス放出管
１０５  牙突ニードル案内管
１０６  ソレノイド
１０７  ストライカーシアー
１０８  牙突ニードルストライカー
【図１】
2020112258.tif 000003